(57)【要約】【課題】本発明は、常時装着可能な生体情報計測装置を用いて任意の時間に自動で血圧等の健康に関する情報を測定して該生体情報計測装置から随時計測結果を送信し、被検者に健康上の異常事態が発生したときに医療機関などの専門機関が迅速で適切に処置することが可能になる生体情報計測装置及び健康管理システムを提供することを目的とする。【解決手段】  前述した目的を達成するために、本発明は、被検者の耳介に常時装着可能な血圧計を装着して任意の時間に自動で血圧を測定する。測定された血圧及び被検者を特定する情報は通信ネットワークを介して医療機関などの専門機関に送信される生体情報計測装置及び健康管理システムである。【選択図】図４
2005211172.tif 000002
【特許請求の範囲】
【請求項１】
人体の耳介への装着機構と、
人体の耳介の一部を覆って血圧を測定する血圧計と、
予め記憶している被検者を特定する情報及び該血圧計の測定した血圧を通信ネットワークを介して送信する送信回路と、を備える生体情報計測装置。
【請求項２】
人体の耳介への装着機構と、
人体の耳介の一部を覆って血圧を測定する血圧計と、
該血圧計の測定した血圧が予め設定されている基準値を超えたときにアラーム情報を発生するアラーム回路と、
予め記憶している被検者を特定する情報及び該アラーム回路の発生するアラーム情報を通信ネットワークを介して送信する送信回路と、を備える生体情報計測装置。
【請求項３】
人体の耳介への装着機構と、
人体の耳介の一部を覆って血圧を測定する血圧計と、
脈拍、血流、加速度及び体位のうち少なくとも１の生体情報を測定する生体情報測定計と、
予め記憶している被検者を特定する情報、該血圧計の測定した血圧及び該生体情報測定計の測定した生体情報のうち少なくとも１の生体情報を通信ネットワークを介して送信する送信回路と、を備える生体情報計測装置。
【請求項４】
人体の耳介への装着機構と、
人体の耳介の一部を覆って血圧を測定する血圧計と、
脈拍、血流、加速度及び体位のうち少なくとも１の生体情報を測定する生体情報測定計と、
該生体情報測定計が測定した生体情報のうちの少なくとも１の生体情報及び該血圧計の測定した血圧のそれぞれが予め設定されている基準値を超えたときに、アラーム情報を発生するアラーム回路と、
予め記憶している被検者を特定する情報及び該アラーム回路の発生するアラーム情報を通信ネットワークを介して送信する送信回路と、を備える生体情報計測装置。
【請求項５】
被検者の位置を検出する位置検出回路をさらに備え、
前記送信回路は該位置検出回路からの位置情報も送信することを特徴とする請求項１から４に記載のいずれかの生体情報計測装置。
【請求項６】
前記送信回路は該位置検出回路からの位置情報を基に送信先を選定し、
該送信先に前記血圧又は前記アラーム情報、かつ前記被検者を特定する情報及び前記位置情報を通信ネットワークを介して送信することを特徴とする請求項５に記載の生体情報計測装置。
【請求項７】
前記位置検出回路はＧＰＳ（Ｇｌｏｂａｌ  Ｐｏｓｉｔｉｏｎｉｎｇ Ｓｙｓｔｅｍ）を利用して位置を検出することを特徴とする請求項５又は６に記載の生体情報計測装置。
【請求項８】
生体情報計測装置と生体情報収集装置とを含む健康管理システムであって、
該生体情報計測装置は、人体の耳介への装着機構と、
人体の耳介の一部を覆って血圧を測定する血圧計と、
予め記憶している被検者を特定する情報及び該血圧計の測定した血圧を通信ネットワークを介して送信する送信回路と、を備え、
該生体情報収集装置は、該送信回路からの該血圧及び該被検者を特定する情報を受信する生体情報受信回路と、
該生体情報受信回路からの該血圧及び該被検者を特定する情報を記録する生体情報記録回路と、を備える健康管理システム。
【請求項９】
生体情報計測装置と生体情報収集装置とを含む健康管理システムであって、
該生体情報計測装置は、人体の耳介への装着機構と、
人体の耳介の一部を覆って血圧を測定する血圧計と、
該血圧計の測定した血圧が予め設定されている基準値を超えたときにアラーム情報を発生するアラーム回路と、
予め記憶している被検者を特定する情報及び該アラーム回路の発生するアラーム情報を通信ネットワークを介して送信する送信回路と、を備え、
該生体情報収集装置は、該アラーム情報及び該被検者を特定する情報を通信ネットワークを介して受信する生体情報受信回路と、
該生体情報受信回路の受信した該被検者を特定する情報から被検者の個人データを検索して出力する検索回路と、
該生体情報受信回路が該アラーム情報を受信したときに該検索回路からの個人データ及び該アラーム情報を出力するアラーム情報出力回路と、を備える健康管理システム。
【請求項１０】
生体情報計測装置と生体情報収集装置とを含む健康管理システムであって、
該生体情報計測装置は、人体の耳介への装着機構と、
人体の耳介の一部を覆って血圧を測定する血圧計と、
脈拍、血流、加速度及び体位のうち少なくとも１の生体情報を測定する生体情報測定計と、
予め記憶している被検者を特定する情報、該血圧計の測定した血圧及び該生体情報測定計の測定する生体情報のうち少なくとも１の生体情報を通信ネットワークを介して送信する送信回路と、を備え、
該生体情報収集装置は、該送信回路からの該血圧、該生体情報及び該被検者を特定する情報を受信する生体情報受信回路と、
該生体情報受信回路からの該血圧、該生体情報及び該被検者を特定する情報を記録する生体情報記録回路と、を備える健康管理システム。
【請求項１１】
生体情報計測装置と生体情報収集装置とを含む健康管理システムであって、
該生体情報計測装置は、人体の耳介への装着機構と、
人体の耳介の一部を覆って血圧を測定する血圧計と、
脈拍、血流、加速度及び体位のうち少なくとも１の生体情報を測定する生体情報測定計と、
該生体情報測定計の測定した生体情報のうちの少なくとも１の生体情報及び該血圧計の測定した血圧のそれぞれが予め設定されている基準値を超えたときにアラーム情報を発生するアラーム回路と、
予め記憶している被検者を特定する情報及び該アラーム回路の発生するアラーム情報を通信ネットワークを介して送信する送信回路と、を備え、
該生体情報収集装置は、該アラーム情報及び該被検者を特定する情報を通信ネットワークを介して受信する生体情報受信回路と、
該生体情報受信回路の受信した該被検者を特定する情報から被検者の個人データを検索して出力する検索回路と、
該生体情報受信回路が該アラーム情報を受信したときに該検索回路からの個人データ及び該アラーム情報を出力するアラーム情報出力回路と、を備える健康管理システム。
【請求項１２】
前記生体情報計測装置は被検者の位置を検出する位置検出回路をさらに備え、
前記送信回路は該位置検出回路からの位置情報をさらに送信し、
かつ前記生体情報受信回路は該位置情報をさらに受信し、
かつ前記生体情報収集装置は該位置情報を出力する位置情報出力回路をさらに備えることを特徴とする請求項８から１１に記載のいずれかの健康管理システム。
【請求項１３】
前記送信回路は、前記位置検出回路からの位置情報を基に送信先を選定し、
該送信先に前記血圧又は前記アラーム情報、かつ前記被検者を特定する情報及び前記位置情報を通信ネットワークを介して送信することを特徴とする請求項１２に記載の健康管理システム。
【請求項１４】
前記位置検出回路はＧＰＳを利用して位置を検出することを特徴とする請求項１２又は１３に記載の健康管理システム。
【発明の詳細な説明】
【技術分野】
【０００１】
本発明は、血圧等の健康に係る情報を送信する生体情報計測装置及び、その生体情報計測装置を利用した健康管理システムに関する。特に、被検者の居場所に関らず自動で血圧を測定し、測定結果をその場で送信する生体情報計測装置及び、生体情報計測装置を利用して緊急時に対応する健康管理システムに関する。
【背景技術】
【０００２】
高齢化が進み、成人の生活習慣病や成人病への対応が、社会的に大きな課題となっている。特に、高血圧や血液循環と関連の深い健康上の異常事態が発生した場合、迅速な処置が重要であり、各種の救急医療システムや健康管理システムへの関心が高まっている。従来、血圧の測定は腕で行うことが多く、常時身体に装着するのは被検者の身体的、心的負担が大きいために困難だった。このような分野の従来技術に携帯電話を利用した健康管理システム（例えば、特許文献１参照。）がある。
【０００３】
従来技術の携帯電話を利用した健康管理システムは、測定した血圧などの生体情報を携帯電話により所定の送信先へ報告するというものである。しかし、携帯電話の使用できる地域でしか使用できないため、山深い過疎地域などでは使用ができなかった。また、携帯電話が電池切れで使用できないときや、充電のために身体から離れているときは送信できないため、これらの状況にあるときは被検者の血圧に異常が発生しても対応ができなかった。
【０００４】
以上述べたように、従来技術は、成人病の発見と治療において重要な血圧を随時測定し、測定した結果を計測装置から直接送信することができなかったため、血圧の異常が発生したときに医療機関などの専門機関は迅速な対応ができなかった。
【０００５】
一方、血圧の測定に関しては、血管の脈動波形による血圧測装置（例えば、非特許文献１参照。）は、他の方式であるカフ振動法や容積補償法などによる血圧測定装置（例えば、非特許文献２参照。）に比較して、高精度な血圧の測定が可能となるとの研究成果がある。
【特許文献１】特開２００２−２８８３４７号公報。
【非特許文献１】Ｏｓａｍｕ  Ｔｏｃｈｉｋｕｂｏ、Ｙｏｓｈｉｙｕｋｉ  Ｋａｗａｓｏ、Ｅｉｊｉ  Ｍｉｙａｊｉｍａ、 Ｍａｓａｏ  Ｉｓｈｉｉ：Ａ ｎｅｗ  ｐｈｏｔｏ−ｏｓｃｉｌｌｏｍｅｔｒｉｃ  ｍｅｔｈｏｄ  ｅｍｐｌｏｙｉｎｇ  ｔｈｅ  ｄｅｌｔａ−ａｌｇｏｒｉｔｈｍ  ｆｏｒ  ａｃｃｕｒａｔｅ  ｂｌｏｏｄ  ｐｒｅｓｓｕｒｅ  ｍｅａｓｕｒｅｍｅｎｔ．Ｊｏｕｒｎａｌ ｏｆ Ｈｙｐｅｒｔｅｎｓｉｏｎ  １９９７、Ｖｏｌ．１５、Ｎｏ．２、ｐｐ．１４８−ｐｐ．１５１、Ｆｉｇ.１、Ｆｉｇ．３。
【非特許文献２】山越憲一、戸川達男：「生体センサと計測装置」日本エム・イー学会編／ＭＥ教科書シリーズ  Ａ−１、３９頁〜５２頁。
【発明の開示】
【発明が解決しようとする課題】
【０００６】
本発明は、このような問題を解決するために、常時装着可能な生体情報計測装置を用いて任意の時間に自動で血圧等の健康に関する情報を測定して該生体情報計測装置から随時計測結果を送信し、被検者に健康上の異常事態が発生したときに医療機関などの専門機関が迅速で適切に処置することが可能になる生体情報計測装置及び健康管理システムを提供することを目的とする。
【課題を解決するための手段】
【０００７】
前述した目的を達成するために、本発明は、被検者の耳介に常時装着可能な血圧計を装着して任意の時間に自動で血圧を測定する。測定された血圧及び被検者を特定する情報は通信ネットワークを介して医療機関などの専門機関に送信される。これにより、常時被検者の健康管理が可能となり、かつ被検者に健康上の異常事態が発生したときに迅速で適切な処置を可能にする。
【０００８】
具体的には、本願発明に係る生体情報計測装置は、人体の耳介への装着機構と、人体の耳介の一部を覆って血圧を測定する血圧計と、予め記憶している被検者を特定する情報及び該血圧計の測定した血圧を通信ネットワークを介して送信する送信回路と、を備える。
【０００９】
本発明により、常時装着可能な生体情報計測装置を用いて任意の時間に自動で血圧を測定し、該生体情報計測装置に備わる血圧計で測定された情報を該生体情報計測装置から医療機関などの専門機関に送信することができる。これによって、該専門機関から被検者の血圧を常時監視及び管理することができる。したがって、被検者の健康を遠隔地から管理し、かつ被検者に健康上の異常事態が発生したときに迅速で適切な処置をすることが可能になる。
【００１０】
本発明に係る他の生体情報計測装置は、人体の耳介への装着機構と、人体の耳介の一部を覆って血圧を測定する血圧計と、該血圧計の測定した血圧が予め設定されている基準値を超えたときにアラーム情報を発生するアラーム回路と、予め記憶している被検者を特定する情報及び該アラーム回路の発生するアラーム情報を通信ネットワークを介して送信する送信回路と、を備える。
【００１１】
本発明により、常時装着可能な生体情報計測装置を用いて任意の時間に自動で血圧を測定し、該生体情報計測装置に備わる血圧計で測定されたアラーム情報を該生体情報計測装置から医療機関などの専門機関に送信することができる。これによって、血圧が異常な値になったときに、専門機関へ被検者の異常を迅速に通知することができる。したがって、被検者の健康を遠隔地から管理し、かつ被検者に健康上の異常事態が発生したときに迅速で適切な処置をすることが可能になる。
【００１２】
本発明に係る他の生体情報計測装置は、人体の耳介への装着機構と、人体の耳介の一部を覆って血圧を測定する血圧計と、脈拍、血流、加速度及び体位のうち少なくとも１の生体情報を測定する生体情報測定計と、予め記憶している被検者を特定する情報、該血圧計の測定した血圧及び該生体情報測定計の測定した生体情報のうち少なくとも１の生体情報を通信ネットワークを介して送信する送信回路と、を備える。
【００１３】
本発明により、常時装着可能な生体情報計測装置を用いて任意の時間に自動で血圧及び脈拍等の生態情報を測定し、該生体情報計測装置に備わる血圧計及び生体情報測定計で測定された情報を該生体情報計測装置から医療機関などの専門機関に送信することができる。これによって、該専門機関から被検者の血圧及び脈拍等の生体情報を常時監視及び管理することができる。したがって、被検者の健康を遠隔地から管理し、かつ被検者に健康上の異常事態が発生したときに迅速で適切な処置をすることが可能になる。
【００１４】
本発明に係る他の生体情報計測装置は、人体の耳介への装着機構と、人体の耳介の一部を覆って血圧を測定する血圧計と、脈拍、血流、加速度及び体位のうち少なくとも１の生体情報を測定する生体情報測定計と、該生体情報測定計が測定した生体情報のうちの少なくとも１の生体情報及び該血圧計の測定した血圧のそれぞれが予め設定されている基準値を超えたときにアラーム情報を発生するアラーム回路と、予め記憶している被検者を特定する情報及び該アラーム回路の発生するアラーム情報を通信ネットワークを介して送信する送信回路と、を備える生体情報計測装置。
【００１５】
本発明により、常時装着可能な生体情報計測装置を用いて任意の時間に自動で血圧及び脈拍等の生態情報を測定し、該生体情報計測装置に備わる血圧計及び生体情報測定計で測定されたアラーム情報を該生体情報計測装置から医療機関などの専門機関に送信することができる。これによって、血圧又は脈拍等の生体情報が異常な値になったときに、専門機関へ被検者の異常を迅速に通知することができる。したがって、被検者の健康を遠隔地から管理し、かつ被検者に健康上の異常事態が発生したときに迅速で適切な処置をすることが可能になる。
【００１６】
本発明に係る他の生体情報計測装置は、被検者の位置を検出する位置検出回路をさらに備え、前記送信回路は該位置検出回路からの位置情報も送信してもよい。
【００１７】
本発明により、常時装着可能な生体情報計測装置を用いて任意の時間に自動で血圧及び又は脈拍等の生態情報を測定し、該生体情報計測装置に備わる血圧計等で測定された結果を該生体情報計測装置から医療機関などの専門機関に被検者の位置情報とともに送信することができる。これによって、血圧又は脈拍等の生体情報が異常な値になったときに、専門機関は被検者の救助を迅速に行うことができる。したがって、被検者の健康を遠隔地から管理し、かつ被検者に健康上の異常事態が発生したときに迅速で適切な処置をすることが可能になる。
【００１８】
生体情報計測装置において、前記送信回路は該位置検出回路からの位置情報を基に送信先を選定し、該送信先に前記血圧又は前記アラーム情報、かつ前記被検者を特定する情報及び前記位置情報を通信ネットワークを介して送信してもよい。
【００１９】
本発明により、常時装着可能な生体情報計測装置を用いて任意の時間に自動で血圧及び又は脈拍等の生態情報を測定し、該生体情報計測装置に備わる血圧計等で測定された結果を該生体情報計測装置から被検者の位置情報とともに適切な専門機関へ送信することができる。これによって、血圧又は脈拍等の生体情報が異常な値になったときに、専門機関は被検者の救助を迅速に行うことができる。したがって、被検者の健康を遠隔地から管理し、かつ被検者に健康上の異常事態が発生したときに迅速で適切な処置をすることが可能になる。
【００２０】
前記生体情報計測装置において、前記位置検出回路はＧＰＳ（Ｇｌｏｂａｌ  Ｐｏｓｉｔｉｏｎｉｎｇ
Ｓｙｓｔｅｍ）を利用して位置を検出してもよい。
【００２１】
本発明により、当該生体情報計測装置はＧＰＳから検出した位置情報を送信することができる。これにより、被検者はＧＰＳの利用できる場所であればどこからでも、前記血圧又は前記アラーム情報、前記被検者を特定する情報と共に、被検者の位置情報を医療機関などの専門機関へ通知することができる。したがって、被検者の健康を遠隔地から管理し、かつ被検者に健康上の異常事態が発生したときに迅速で適切な処置をすることが可能になる。
【００２２】
本発明に係る健康管理システムは、生体情報計測装置と生体情報収集装置とを含む健康管理システムであって、該生体情報計測装置は、人体の耳介への装着機構と、人体の耳介の一部を覆って血圧を測定する血圧計と、予め記憶している被検者を特定する情報及び該血圧計の測定した血圧を通信ネットワークを介して送信する送信回路と、を備え、該生体情報収集装置は、該送信回路からの該血圧及び該被検者を特定する情報を受信する生体情報受信回路と、該生体情報受信回路からの該血圧及び該被検者を特定する情報を記録する生体情報記録回路と、を備える。
【００２３】
本発明により、常時装着可能な生体情報計測装置を用いて任意の時間に自動で血圧を測定し、該生体情報計測装置に備わる血圧計で測定された情報を該生体情報計測装置から生体情報収集装置に送信することができる。これによって、該生体情報収集装置の配備されている医療機関などの専門機関から被検者の血圧を常時監視及び管理することができる。したがって、被検者の健康を遠隔地から管理し、かつ被検者に健康上の異常事態が発生したときに長期的な記録に基づいて迅速で適切な処置をすることが可能になる。
【００２４】
本発明に係る他の健康管理システムは、生体情報計測装置と生体情報収集装置とを含む健康管理システムであって、該生体情報計測装置は、人体の耳介への装着機構と、人体の耳介の一部を覆って血圧を測定する血圧計と、該血圧計の測定した血圧が予め設定されている基準値を超えたときにアラーム情報を発生するアラーム回路と、予め記憶している被検者を特定する情報及び該アラーム回路の発生するアラーム情報を通信ネットワークを介して送信する送信回路と、を備え、該生体情報収集装置は、該アラーム情報及び該被検者を特定する情報を通信ネットワークを介して受信する生体情報受信回路と、該生体情報受信回路の受信した該被検者を特定する情報から被検者の個人データを検索して出力する検索回路と、該生体情報受信回路が該アラーム情報を受信したときに該検索回路からの個人データ及び該アラーム情報を出力するアラーム情報出力回路と、を備える。
【００２５】
本発明により、常時装着可能な生体情報計測装置を用いて任意の時間に自動で血圧を測定し、該生体情報計測装置に備わる血圧計で測定されたアラーム情報を該生体情報計測装置から生体情報収集装置に送信することができる。これによって、血圧が異常な値になったときに、該生体情報収集装置の配備されている専門機関へ被検者の異常を迅速に通知することができる。さらに、アラーム情報を受信した生体情報収集装置を配備する専門機関は異常の発生した被検者に関する個人データを自動で入手することができる。したがって、被検者の健康を遠隔地から管理し、かつ被検者に健康上の異常事態が発生したときに長期的な記録に基づいて迅速で適切な処置をすることが可能になる。
【００２６】
本発明に係る他の健康管理システムは、生体情報計測装置と生体情報収集装置とを含む健康管理システムであって、該生体情報計測装置は、人体の耳介への装着機構と、人体の耳介の一部を覆って血圧を測定する血圧計と、脈拍、血流、加速度及び体位のうち少なくとも１の生体情報を測定し生体情報を出力する生体情報測定計と、予め記憶している被検者を特定する情報、該血圧計の測定した血圧及び該生体情報測定計の測定する生体情報のうち少なくとも１の生体情報を通信ネットワークを介して送信する送信回路と、を備え、該生体情報収集装置は、該送信回路からの該血圧、該生体情報及び該被検者を特定する情報を受信する生体情報受信回路と、該生体情報受信回路からの該血圧、該生体情報及び該被検者を特定する情報を記録する生体情報記録回路と、を備える。
【００２７】
本発明により、常時装着可能な生体情報計測装置を用いて任意の時間に自動で血圧及び脈拍等の生態情報を測定し、該生体情報計測装置に備わる血圧計及び生体情報測定計で測定された情報を該生体情報計測装置から生体情報収集装置に送信することができる。これによって、該生体情報収集装置を配備する医療機関などの専門機関から被検者の血圧及び脈拍等の生体情報を常時監視及び管理することができる。したがって、被検者の健康を遠隔地から管理し、かつ被検者に健康上の異常事態が発生したときに長期的な記録に基づいて迅速で適切な処置をすることが可能になる。
【００２８】
本発明に係る他の健康管理システムは、生体情報計測装置と生体情報収集装置とを含む健康管理システムであって、該生体情報計測装置は、人体の耳介への装着機構と、人体の耳介の一部を覆って血圧を測定する血圧計と、脈拍、血流、加速度及び体位のうち少なくとも１の生体情報を測定する生体情報測定計と、該生体情報測定計の測定した生体情報のうちの少なくとも１の生体情報及び該血圧計の測定した血圧のそれぞれが予め設定されている基準値を超えたときにアラーム情報を発生するアラーム回路と、予め記憶している被検者を特定する情報及び該アラーム回路の発生するアラーム情報を通信ネットワークを介して送信する送信回路と、を備え、該生体情報収集装置は、該アラーム情報及び該被検者を特定する情報を通信ネットワークを介して受信する生体情報受信回路と、該生体情報受信回路の受信した該被検者を特定する情報から被検者の個人データを検索して出力する検索回路と、該生体情報受信回路が該アラーム情報を受信したときに該検索回路からの個人データ及び該アラーム情報を出力するアラーム情報出力回路と、を備える。
【００２９】
本発明により、常時装着可能な生体情報計測装置を用いて任意の時間に自動で血圧及び脈拍等の生態情報を測定し、該生体情報計測装置に備わる血圧計及び生体情報測定計で測定されたアラーム情報を該生体情報計測装置から生体情報収集装置へ送信することができる。これによって、血圧又は脈拍等の生体情報が異常な値になったときに、該生体情報収集装置の配備されている専門機関へ被検者の異常を迅速に通知することができる。さらに、アラーム情報を受信した生体情報収集装置を配備する専門機関は異常の発生した被検者に関する個人データを自動で入手することができる。したがって、被検者の健康を遠隔地から管理し、かつ被検者に健康上の異常事態が発生したときに長期的な記録に基づいて迅速で適切な処置をすることが可能になる。
【００３０】
本発明に係る他の健康管理システムは、前記生体情報計測装置は被検者の位置を検出する位置検出回路をさらに備え、前記送信回路は該位置検出回路からの位置情報をさらに送信し、かつ前記生体情報受信回路は該位置情報をさらに受信し、かつ前記生体情報収集装置は該位置情報を出力する位置情報出力回路をさらに備えてもよい。
【００３１】
本発明により、常時装着可能な生体情報計測装置を用いて任意の時間に自動で血圧及び又は脈拍等の生態情報を測定し、該生体情報計測装置に備わる血圧計等で測定された結果を該生体情報計測装置から生体情報収集装置に被検者の位置情報とともに送信することができる。これによって、血圧又は脈拍等の生体情報が異常な値になったときに、専門機関は被検者の救助を迅速に行うことができる。したがって、被検者の健康を遠隔地から管理し、かつ被検者に健康上の異常事態が発生したときに長期的な記録に基づいて迅速で適切な処置をすることが可能になる。
【００３２】
本発明に係る他の健康管理システムは、前記送信回路は、前記位置検出回路からの位置情報を基に送信先を選定し、該送信先に前記血圧又は前記アラーム情報、さらに前記被検者を特定する情報及び前記位置情報を通信ネットワークを介して送信してもよい。
【００３３】
本発明により、常時装着可能な生体情報計測装置を用いて任意の時間に自動で血圧及び又は脈拍等の生態情報を測定し、該生体情報計測装置に備わる血圧計等で測定された結果を該生体情報計測装置から生体情報収集装置へ送信することができる。これによって、血圧又は脈拍等の生体情報が異常な値になったときに、該生体情報収集装置の配備されている専門機関は被検者の救助を迅速に行うことができる。したがって、被検者の健康を遠隔地から管理し、かつ被検者に健康上の異常事態が発生したときに迅速で適切な処置をすることが可能になる。
【００３４】
本発明に係る他の健康管理システムは、前記位置検出回路はＧＰＳを利用して位置を検出してもよい。
【００３５】
本発明により、当該生体情報計測装置はＧＰＳから検出した位置情報を送信することができる。これにより、被検者はＧＰＳの利用できる場所であればどこからでも、前記血圧又は前記アラーム情報、前記被検者を特定する情報と共に、被検者の位置情報を医療機関などの専門機関へ通知することができる。したがって、被検者の健康を遠隔地から管理し、かつ被検者に健康上の異常事態が発生したときに迅速で適切な処置をすることが可能になる。
【発明の効果】
【００３６】
本発明により、常時装着可能な生体情報計測装置を用いて任意の時間に自動で血圧等の健康に関する情報を測定して該生体情報計測装置から随時計測結果を送信し、被検者に健康上の異常事態が発生したときに医療機関などの専門機関が迅速で適切に処置することが可能になる生体情報計測装置及び健康管理システムの提供が可能になる。
【発明を実施するための最良の形態】
【００３７】
以下、本願第１発明の実施の形態について、添付の図面を参照して説明する。
【００３８】
（実施の形態１）
本願発明の実施の形態の生体情報計測装置の実施例を図１に示す。図１は生体情報計測装置を人体の耳介に装着した状態と構成を説明する図である。
【００３９】
図１（１）は生体情報計測装置を人体の耳介に装着した状態を示す。生体情報計測装置８１には人体の耳介への装着機構（図示せず）が備わっていて、生体情報計測装置８１は耳介１の一部に装着される。耳介１は、耳珠、対珠、耳輪、耳輪脚、対輪、対輪脚、耳甲介腔などを含む耳の一部である。装着機構は耳介１に装着できるものであればよく、洗濯バサミのように耳介を挟む機構のものでもよいし、人体の耳介の凹凸などの形状を利用して耳介で保持するものでもよい。粘着性のある液体及びゲル等の粘着物質を利用したものでもよい。人体との接触部にクッションを設けるなど、被検者が常時装着しても身体的、心的負担を与えない工夫が施されていればなお好ましい。以下の実施の形態においても生体情報計測装置は同様の装着機構を備えている。
【００４０】
図１（２）は生体情報計測装置８１の構成を示す。図１（２）に示す生体情報計測装置８１は、血圧計２１と、血圧計２１と信号線により接続された送信回路２２と、を備える。血圧計２１は、被検者の耳介の一部を覆って血圧を測定する。送信回路２２は、被検者を特定する情報を記憶しており、血圧計２１の測定した血圧及び該被検者を特定する情報を送信する。送信の方法は、無線伝送方式等によって行えばよい。
【００４１】
生体情報計測装置８１の配置と動作について図１（２）を用いて説明する。血圧計２１は一定時間ごとに被検者の耳介の血圧を測定する。送信回路２２は、血圧計２１が測定したときに、予め記憶している被検者を特定する情報及び血圧計２１の測定した血圧を通信ネットワークを介して送信する。
【００４２】
血圧計２１の構成例及び機能について図２を用いて説明する。図２は、血圧計２１が被検者の血圧を測定する様子を説明した図である。図２において、１は耳介の一部、２は血管、２１は血圧計である。耳介１の内部を血管２が通っていて、血圧計２１は耳介１に接触して配置される。
【００４３】
図２に示す血圧計２１は、カフ３と、カフ３の内部に設置される発光素子４及び受光素子７と、発光素子４と信号線により接続される駆動回路５と、受光素子７と信号線により接続される受光回路８と、駆動回路５及び受光回路８と信号線により接続される制御回路１０、制御回路１０と信号線により接続される出力端子１１により構成される。
【００４４】
カフ３は、加圧又は減圧することによって耳介１の一部を圧迫する。発光素子４は、耳介１の血管２に光を照射する。発光素子４は、レーザー光線、ＬＥＤなど光を発光するものであればよい。受光素子７は、受光面に入射する光を電気信号に変換する。駆動回路５は、発光素子を駆動する。受光回路８は、受光素子７から入力された光量に対応する電位から脈波を測定して脈波信号を出力する。制御回路１０は、駆動回路５及び受光回路８の動作を制御する。さらに制御回路１０は、受光回路８から出力された脈波信号から血圧を算出し、算出された血圧を出力端子１１へ出力する。
【００４５】
血圧計２１の血圧測定の原理の一例を図３及び図２を用いて説明する。
図２に示す血圧計２１において図示していない空気ポンプにより、カフ３に空気圧を加えて耳介１の一部を圧迫し、血管２の血流を停止させる。血管２の血流を停止させた状態からカフ３の空気圧を低下させる過程において、受光回路８により血管２の脈動に対応する脈波信号を測定する。
【００４６】
図３はカフ３の空気圧と血管２の血圧に対応する脈波信号波形の関係を示すグラフである。図３において、５０は血圧波形、５１は最高血圧、５２は平均血圧、５３は最低血圧、５４はカフの圧力、５５は脈波信号波形、５６はＳ１点、５７はＳ２点、５８はＳ３点、５９は脈波信号波形５５の最大振幅を示す。
【００４７】
図３（１）は血管２の血圧波形５０を示す。横軸は時間、縦軸は血圧である。血圧は、最低血圧５３及び最高血圧５１を一定周期で交互に繰り返す。この血圧の時間変動した鋸歯状の波形が血圧波形５０となる。血圧は血圧波形５０により示した鋸歯状の波形を示しながら全体的に緩やかにうねるような変化を示す。またカフの圧力５４は、カフ３の空気圧を血管２の血流を止めることができる圧力から時間の経過とともに低下させている様子を示している。血管２の血流を止めることができるカフの圧力５４は最高血圧５１に相当する。血圧波形５０は血圧測定の原理説明のために示したものであり、血管内に挿入された精密な血圧測定器により測定可能である。
【００４８】
図３（２）は、カフの圧力５４が変動することにより図３（１）に示した血圧波形が変動した脈波信号波形５５を示す。横軸は時間、縦軸は脈波信号の信号電圧である。カフの圧力５４を低下させる過程において、受光回路８により測定される脈波信号波形５５は変化を示す。
【００４９】
カフの圧力５４が十分高い時は血流が停止し、脈波信号波形５５はほとんど現れない。カフの圧力５４が低下するにともなって、脈波信号波形５５は小さな三角状の波形として出現する。この脈波信号波形５５が出現する時点がＳ１点５６とする。カフの圧力５４が低下すると脈波信号波形５５の振幅は増大し、Ｓ２点５７において最大振幅５９に達する。カフの圧力５４がさらに低下すると、脈波信号波形５５の振幅は緩やかに減少した後、上端部が一定値となる。脈波信号波形５５の上端部が一定値になった時点から若干の時間遅れの後に、脈波信号波形５５の下端部も一定値となる。この脈波信号波形５５の下端部の値が一定値へ転換する時点をＳ３点５８とする。
【００５０】
以上のカフ３の空気圧を低下させる過程の、Ｓ１点５６に対応するカフの圧力５４の値が最高血圧５１であり、Ｓ２点５７に対応するカフの圧力５４の値が平均血圧５２であり、Ｓ３点５８に対応するカフの圧力５４の値が最低血圧５３となる。
【００５１】
以上述べたように、血圧計２１のカフ３の空気圧が血管２の血流が停止する程度の高い圧力から減少する過程で、脈波信号波形５５は変化して、独特な形状を示す。Ｓ１点５６、Ｓ２点５７、Ｓ３点５８の各時点の血圧に対応する脈波信号波形５５の形状を記録し、任意時点で測定した脈波信号波形５５の形状から、その測定時点の血圧が最高血圧と最低血圧の間のどの位置に相当するかが測定できる。
【００５２】
また、脈波信号波形５５は最高血圧５１に対応するＳ1点５６、平均血圧５２に対応するＳ２点５７、最低血圧５３に対応するＳ３点５８においては、特に顕著な波形の変化を示すので、これらの波形の特徴から血圧を測定することも可能である。
【００５３】
例えば、脈波信号波形５５の振幅が最大振幅５９となる平均血圧５２に対応するＳ２点５７を測定した時点で、脈波信号波形５５が常に最大振幅となるようにカフの圧力５４を制御すれば、連続的に平均血圧５２を測定することができる。同様の原理により、最高血圧５１と平均血圧５２についても連続測定が可能である。
【００５４】
図１に示す送信回路２２の機能を図４を用いて説明する。図４は、生体情報計測装置８１に備わる送信回路２２が通信ネットワークを介して送信する総合的な構成を説明する図である。図４において、１は耳介であり、８１は生体情報計測装置であり、１６は通信ネットワークであり、１７は医療機関である。耳介１の一部に生体情報計測装置８１が装着され、生体情報計測装置８１は通信ネットワーク１６と接続され、医療機関１７は通信ネットワーク１６を介して生体情報計測装置８１と接続される。
【００５５】
生体情報計測装置８１は前述の図１で説明した機能と同様の機能を有する。通信ネットワーク１６は、生体情報計測装置８１から送信された該血圧及び該個人を特定する情報を医療機関１７等の専門機関へ伝送する。
【００５６】
生体情報計測装置８１は、血圧計２１で測定された血圧及び送信回路２２が予め記憶している個人を特定する情報を図１で説明した送信回路２２から無線発信機によって通信ネットワーク１６へ送信する。通信ネットワーク１６は、生体情報計測装置８１から送信された血圧等の情報を無線受信機により受信し、通信ネットワーク１６を介して医療機関１７へ伝送する。医療機関１７は、通信ネットワーク１６で伝送された血圧などの情報を受信する。医療機関１７で受信した血圧などの情報は、表示装置で表示されたり、記録装置に記録されたりする。
【００５７】
ここで、図４の例では、測定した血圧などを送信する先を医療機関としたが、健康管理センターや自宅などどこへ送信してもよい。医療機関及び自宅の両方に送信して、両方で健康管理ができるようにしてもよい。さらに複数の場所へ送信してもよい。
【００５８】
送信回路２２からの送信方法は、無線伝送方式で送信することが好ましい。また、有線伝送方式で送信してもよい。暗号化された該情報を送信回路２２から送信して、個人情報の漏洩を防止してもよい。
【００５９】
通信ネットワーク１６は、生体情報計測装置８１からの情報を受信して伝送する。電気信号により伝送するものでもよいし、光信号により伝送するものでもよい。通信ネットワーク１６は、医療機関１７が比較的近い距離にある場合はＬＡＮでも良い。通信ネットワーク１６は、医療機関１７が遠隔地にある場合は電話回線やインターネット等の公衆網を利用しても良い。専用の通信網を用いて個人情報の漏洩を防止してもよい。
【００６０】
なお、送信回路２２は血圧計２１と構造的に分離してもよい。血圧計２１と送信回路２２は信号線により接続される。血圧計２１は耳介１に装着し、送信回路２２は、例えば腕時計型として腕に装着し、あるいは衣服のポケットなどに入れて携帯すればよい。
【００６１】
生体情報計測装置８１や送信回路２２に別途用意した表示機器を接続すれば、血圧及び被検者を特定する情報を表示できる。被検者や医療関係者が被検者の直近で読み取ることもできる。
【００６２】
血圧計２１が血圧を測定するタイミングは一定周期でもよいし、特定の時刻に設定してもよい。又、被検者が指示してもよい。就寝時等の血圧測定回数を減らして、被検者の身体的、心的負担を軽減することもできる。
【００６３】
以上述べたように、本願発明の実施の形態の生体情報計測装置は常時装着可能な生体情報計測装置を用いて任意の時間に自動で血圧を測定し、該生体情報計測装置に備わる血圧計で測定された情報を該生体情報計測装置から医療機関などの専門機関に送信することができる。また本生体情報計測装置は耳介に装着するので、長時間装着しても被検者に与える身体的、心的負担が少ない。これによって、該専門機関から被検者の血圧を常時監視及び管理することができる。したがって、被検者の健康を遠隔地から管理し、かつ被検者に健康上の異常事態が発生したときに迅速で適切な処置をすることが可能になる。
【００６４】
（実施の形態２）
本願発明の他の実施形態の生体情報計測装置について図５を用いて説明する。図５は生体情報計測装置８２の構成を説明する図である。生体情報計測装置８２は、血圧計２１と、アラーム回路２３と、送信回路２２と、を備える。血圧計２１の出力端子はアラーム回路２３の入力端子に接続され、アラーム端子２３の出力端子は送信回路２２の入力端子に接続される。
【００６５】
血圧計２１は、前述の実施の形態１において説明した血圧計２１と同様の機能を有する。アラーム回路２３は、血圧計２１の測定した血圧から、該血圧が予め設定されている基準値を超えたときにアラーム情報を発生する。該アラーム情報は、予め設定されている基準値を超えた事実を伝える情報のみでもよい。その時点において測定した血圧を該事実を伝える情報に加えて出力してもよい。送信回路２２は、予め記憶している被検者を特定する情報と、アラーム回路２３が出力したアラーム情報と、を送信する。送信の方法は、前述の実施の形態１と同様に無線伝送方式等によって行えばよい。
【００６６】
本願発明の実施の形態の生体情報計測装置８２の動作を説明する。血圧計２１は、被検者の耳介の一部を覆って血圧を測定し、測定した該血圧をアラーム回路２３へ出力する。アラーム回路２３は、血圧計２１が測定した血圧から、該血圧が予め設定されている基準値を超えたときにアラーム情報を発生し、送信回路２２に出力する。送信回路２２は、予め記憶している被検者を特定する情報と、アラーム回路２３が出力したアラーム情報と、を送信する。
【００６７】
血圧計２１は、アラーム回路２３及び送信回路２２と構造的に分離してもよい。アラーム回路２３及び送信回路２２を分離して信号線により接続すれば、耳介の装着物の重量が減るため被検者への負担を軽減することができる。
【００６８】
生体情報計測装置８２や送信回路２２に別途用意した表示機器を接続すれば、血圧及び被検者を特定する情報を表示できる。被検者や医療関係者が被検者の直近で読み取ることもできる。
【００６９】
生体情報計測装置８２の送信回路２２が送信するアラーム情報と被検者を特定する情報は、前述の実施の形態１の場合と同様に、通信ネットワークを介して医療機関等に送信され、そこで表示されたり、記録されたりするとともに、緊急の処置の必要性を知らせる緊急信号を発生することもできる。
【００７０】
以上述べたように、本願発明の実施の形態の生体情報計測装置は常時装着可能な生体情報計測装置を用いて任意の時間に自動で血圧を測定し、該生体情報計測装置に備わる血圧計で測定されたアラーム情報を該生体情報計測装置から医療機関などの専門機関に送信することができる。これによって、血圧が異常な値になったときに、専門機関へ被検者の異常を迅速に通知することができる。したがって、被検者の健康を遠隔地から管理し、かつ被検者に健康上の異常事態が発生したときに迅速で適切な処置をすることが可能になる。
【００７１】
（実施の形態３）
本願発明の他の実施形態の生体情報計測装置について図６を用いて説明する。図６は生体情報計測装置８３の構成を説明する図である。生体情報計測装置８３は、血圧計２１と、送信回路２２と、生体情報測定計２４と、を備える。生体情報計測装置８３は、生体情報計測装置８１に生体情報測定計２４が新たに加わっている。血圧計２１及び生体情報測定計２４の出力端子は送信回路２２の入力端子に接続される。
【００７２】
血圧計２１は、前述の実施の形態１において説明した血圧計２１と同様の機能を有する。生体情報測定計２４は、脈拍、血流、加速度及び体位のうち少なくとも１の生体情報を測定し、測定した生体情報を出力する。送信回路２２は、予め記憶している被検者を特定する情報と、血圧計２１の測定した血圧と、生体情報測定計２４が測定した生体情報と、を送信する。送信の方法は、前述の実施の形態１と同様に無線伝送方式等によって行えばよい。
【００７３】
ここで、脈拍は、例えば音響的に生体内の血管の脈動による鼓動から測定しても良い。血流は、例えば生体内へレーザー光線などを照射して、照射光が生体内の血管の中の血球により散乱され、ドップラー効果を受け、散乱光の周波数が変化する現象を利用して測定しても良い。加速度は、例えばマイクロマシンによる加速度センサーによって測定しても良い。体位は、例えば加速度センサーにより測定部位の水平と垂直方向の移動量を測定し、さらに錘や水準器による傾斜計により、測定部位の傾斜角を測定し、これらの測定値から被検者が直立状態、着座状態、あるいは寝ている状態などの体位を測定しても良い。
【００７４】
生体情報計測装置８３は、生体情報計測計２４が脈拍、血流、加速度及び体位のうち少なくとも１の生体情報を測定して送信回路２２に出力する。送信回路２２は、予め記憶している被検者を特定する情報と、血圧計２１の測定した血圧と、生体情報測定計２４が測定した生体情報と、を送信する。
【００７５】
生体情報計測装置８３の送信回路２２が送信する血圧などの情報は、前述の実施の形態１の場合と同様に、通信ネットワークを介して医療機関等に送信され、そこで表示されたり、記録されたりする。
【００７６】
生体情報測定計２４及び送信回路２２は、血圧計２１と構造的に分離してもよい。生体情報測定計２４及び送信回路２２と、血圧計２１とはそれぞれ信号線で接続される。生体情報測定計２４及び送信回路２２を血圧計２１と分離することにより、耳介の装着物の重量が減るため被検者への負担を軽減することができる。さらに生体情報測定計２４を送信回路２２及びアラーム回路２３と分離してもよい。
【００７７】
生体情報測定装置８３に備わる生体情報測定計２４は１つに限らない。測定する内容に応じて複数設けてもよい。生体情報測定計２４の測定する内容に応じて生体情報測定計２４を独立させて、それぞれを測定に適した箇所に装着してもよい。また、測定内容は、脈拍、血流、加速度及び体位に限らない。
【００７８】
以上述べたように、常時装着可能な生体情報計測装置を用いて任意の時間に自動で血圧及び脈拍等の生態情報を測定し、該生体情報計測装置に備わる血圧計及び生体情報測定計で測定された情報を該生体情報計測装置から医療機関などの専門機関に送信することができる。これによって、該専門機関から被検者の血圧及び脈拍等の生体情報を常時監視及び管理することができる。したがって、被検者の健康を遠隔地から管理し、かつ被検者に健康上の異常事態が発生したときに迅速で適切な処置をすることが可能になる。
【００７９】
（実施の形態４）
本願発明の他の実施形態の生体情報計測装置について図７を用いて説明する。図７は生体情報計測装置８４の構成を説明する図である。生体情報計測装置８４は、血圧計２１と、アラーム回路２３と、送信回路２２と、生体情報測定計２４と、を備える。生体情報計測装置８４は、生体情報計測装置８２に生体情報測定計２４が新たに加わった構成となっている。生体情報測定計２４の出力端子はアラーム回路２３の入力端子に接続される。
【００８０】
血圧計２１は、前述の実施の形態１において説明した血圧計２１と同様の機能を有する。生体情報計測計２４は、前述の実施の形態３において説明した生体情報計測計２４と同様の機能を有する。アラーム回路２３は、血圧計２１の測定する血圧、及び生体情報測定計２４の測定する脈拍、血流、加速度及び体位のうち少なくとも１の生体情報のそれぞれが予め設定されている基準値を超えたときにアラーム情報を発生し、アラーム情報を送信回路２２へ送信する。送信回路２２は、予め記憶している被検者を特定する情報と、アラーム回路２３が出力したアラーム情報と、を送信する。送信の方法は、前述の実施の形態１と同様に無線伝送方式等によって行えばよい。
【００８１】
ここで、アラーム回路２３がアラーム情報を発生する条件は、血圧あるいは脈拍、血流、加速度及び体位のうち少なくとも１の生体情報、のいずれかが予め設定されている基準値を超えたとき、と設定する場合もあり、また、これらの任意の組み合わせが同時に予め設定されている基準値を超えたとき、と設定する場合もあり、さらに、血圧および脈拍、血流、加速度及び体位の少なくとも１の生体情報の各測定値に対して複数の基準値を設定して、これらの組み合わせに対して複数の条件を設定する場合もある。
【００８２】
アラーム回路２３がアラーム情報を発生する条件の例を以下に示す。例えば、最低血圧に対して第１基準値を１００ｍｍＨｇ、第２基準値を１３０ｍｍＨｇと設定し、脈拍の基準値を９０拍／分と設定し、血流の基準値を６０ｍｌ／秒と設定し、加速度の第1基準値を１．６Ｇ、第２基準値を０．５Ｇと設定し、体位の基準値を直立と設定した場合のアラーム情報を発生する条件の例を以下に示す。
【００８３】
最低血圧が第1基準値１００ｍｍＨｇを超え、かつ加速度が第1基準値１．６Ｇ以下の場合は、それほど激しい運動をしていないのにもかかわらず血圧が上昇しているのでアラーム情報を発生する。一方、最低血圧が１００ｍｍＨｇを超え、かつ加速度が１．６Ｇを超えている場合は、血圧の上昇は激しい運動によるものと判断し、アラーム情報を発生しない。さらに、加速度が１．６Ｇを超え、かつ最小血圧が第２基準値１３０ｍｍＨｇを超えている場合、運動の激しさ如何にかかわらずアラーム情報を発生する。
【００８４】
最低血圧が第１基準値１００ｍｍＨｇを超え、かつ脈拍が基準値９０拍／分以下の場合は、それほど激しい運動や興奮していないのにもかかわらず血圧が上昇しているのでアラーム情報を発生する。一方、最低血圧が第１基準値１００ｍｍＨｇを超え、かつ脈拍も基準値９０拍／分を超えている場合は、血圧の上昇は激しい運動や興奮によるものと判断し、アラーム情報を発生しない。また、脈拍が基準値９０拍／分を超え、かつ最低血圧が第２基準値１３０ｍｍＨｇを越えている場合、運動や興奮の激しさ如何にかかわらずアラーム情報を発生する。
【００８５】
最低血圧が第1基準値１００ｍｍＨｇを超え、かつ血流が基準値６０ｍｌ／秒以下の場合は、血流が少ないにもかかわらず血圧が上昇するという血栓や動脈硬化に起因する可能性がある緊急事態と判断し、アラーム情報を発生する。一方、最低血圧が第１基準値１００ｍｍＨｇを超え、かつ血流が基準値６０ｍｌ／秒を超えている場合は、血圧の上昇は運動や興奮等による血流の上昇に起因するものと判断し、アラーム情報を発生しない。また、血流が基準値６０ｍｌ／秒を超え、かつ最低血圧が第２基準値１３０ｍｍＨｇを越えている場合、運動や興奮の激しさ如何にかかわらずアラーム情報を発生する。
【００８６】
最低血圧が第１基準値１００ｍｍＨｇを超え、かつ体位が直立でなく、加速度が第２基準値０．５Ｇ以下の場合は、横たわっている等の安楽な状態にもかかわらず血圧が上昇しているので、アラーム情報を発生する。また、最低血圧が第１基準値１００ｍｍＨｇを超え、かつ体位が直立でない状態から直立の状態に変化した直後である場合は、血圧の上昇は起立性高血圧よる可能性があると判断し、アラーム情報を発生する。また、体位が直立で、かつ最低血圧が第２基準値１３０ｍｍＨｇを越えている場合、体位の如何にかかわらず緊急事態と判断し、アラーム情報を発生する。
【００８７】
本願発明の実施の形態の生体情報計測装置の動作を説明する。血圧計２１は、被検者の耳介１の一部を覆って血圧を測定し、測定した該血圧をアラーム回路２３へ出力する。生体情報測定計２４は脈拍、血流、加速度及び体位のうち少なくとも１の生体情報を測定し、アラーム回路２３へ出力する。アラーム回路２３は、これらの情報から、前述のアラーム情報を発生する条件に合った場合、アラーム情報を発生し、送信回路２２へ出力する。送信回路２２は、予め記憶している被検者を特定する情報と、アラーム回路２３が出力したアラーム情報と、を送信する。
【００８８】
生体情報測定計２４、アラーム回路２３及び送信回路２２は、血圧計２１と構造的に分離してもよい。生体情報測定計２４及び送信回路２２と、血圧計２１とはそれぞれ信号線で接続される。生体情報測定計２４、アラーム回路２３及び送信回路２２を血圧計２１と分離することにより、耳介の装着物の重量が減るため被検者への負担を軽減することができる。さらに生体情報測定計２４を送信回路２２及びアラーム回路２３と分離してもよい。
【００８９】
生体情報測定装置８４に備わる情報測定計２４は１つに限らない。測定する内容に応じて複数設けてもよい。生体情報測定計２４の測定する内容に応じて生体情報測定計２４を独立させて、それぞれを測定に適した箇所に装着してもよい。また、測定内容は、脈拍、血流、加速度及び体位に限らない。
【００９０】
生体情報計測装置８４の送信回路２２が送信するアラーム情報と被検者を特定する情報は、前述の実施の形態１の場合と同様に、通信ネットワークを介して医療機関等送信され、そこで表示されたり、記録されたりすると共に、緊急の処置の必要性を知らせる緊急信号発生する。
【００９１】
以上述べたように、本願発明の実施の形態の生体情報計測装置は常時装着可能な生体情報計測装置を用いて任意の時間に自動で血圧及び脈拍等の生態情報を測定し、該生体情報計測装置に備わる血圧計及び生体情報測定計で測定されたアラーム情報を該生体情報計測装置から医療機関などの専門機関に送信することができる。これによって、血圧又は脈拍等の生体情報が異常な値になったときに、専門機関へ被検者の異常を迅速に通知することができる。したがって、被検者の健康を遠隔地から管理し、かつ被検者に健康上の異常事態が発生したときに迅速で適切な処置をすることが可能になる。
【００９２】
（実施の形態５）
本願発明の他の実施形態の生体情報計測装置について図８を用いて説明する。図８は生体情報計測装置８５の構成を説明する図である。生体情報計測装置８５は、生体情報計測装置８４に位置検出回路８５が追加された構成となっている。実施の形態１、実施の形態２、実施の形態３及び実施の形態４のいずれの場合も同様の回路と機能を追加することができるが、本実施例では実施の形態４の場合について以下に説明する。
【００９３】
位置検出回路２５は、例えばジャイロスコープあるいはＰＨＳを応用した位置検出機能を備えており、被検者の位置を測定して、被検者の位置情報を送信回路２２へ送信する。
【００９４】
送信回路２２は、前述の実施の形態１、前述の実施の形態２、前述の実施の形態３及び前述の実施の形態４と同様に、血圧及び被検者を特定する情報、あるいはアラーム情報及び被検者を特定する情報を送信する場合に、それら情報と同時に位置検出回路２５から入力された被検者の位置情報も送信する。以上述べた以外の生体情報計測装置８５の機能は、前述の実施の形態１、前述の実施の形態２、前述の実施の形態３及び前述の実施の形態４において説明した各生体情報計測装置の機能と同様である。
【００９５】
本願発明の実施の形態の生体情報計測装置の動作には、前述の実施の形態１、前述の実施の形態２、前述の実施の形態３及び前述の実施の形態４において説明した各生体情報計測装置が、血圧又はアラーム情報と、被検者を特定する情報と、を送信する場合に、同時に被検者の位置情報を送信する動作が付加される。上記以外の動作は、前述の実施の形態１、前述の実施の形態２、前述の実施の形態３及び前述の実施の形態４において説明した各生体情報計測装置の動作と同様である。
【００９６】
以上述べたように、本願発明の実施の形態の生体情報計測装置は、常時装着可能な生体情報計測装置を用いて任意の時間に自動で血圧及び又は脈拍等の生態情報を測定し、該生体情報計測装置に備わる血圧計等で測定された結果を該生体情報計測装置から医療機関などの専門機関に被検者の位置情報とともに送信することができる。これによって、血圧又は脈拍等の生体情報が異常な値になったときに、専門機関は被検者の救助を迅速に行うことができる。したがって、被検者の健康を遠隔地から管理し、かつ被検者に健康上の異常事態が発生したときに迅速で適切な処置をすることが可能になる。
【００９７】
また、図８に示した生体情報計測装置８５において、送信回路２２は、位置検出回路２５が検出した位置情報を基に送信先を選定し、血圧又はアラーム情報、かつ被検者を特定する情報及び該位置情報を通信ネットワークを介して送信してもよい。
【００９８】
例えば、図８に示した生体情報計測装置８５において、送信回路２２は予め複数の送信先の位置情報を記憶し、位置検出回路２５が検出した位置情報を基に被検者の位置から最短距離の送信先を選定し、血圧又はアラーム情報、かつ被検者を特定する情報及び該位置情報を通信ネットワークを介して選定した送信先に送信してもよい。
【００９９】
送信回路２２は予め複数の送信先として医療機関などの専門機関の位置情報を記憶し、送信回路２２が血圧又はアラーム情報、被検者を特定する情報及び位置情報を通信ネットワークを介して送信する際に、被検者の該位置情報を基に送信回路２２に記憶されている医療機関などの専門機関から選定して送信する。送信回路２２が記憶する専門機関は被検者の疾病の救急医療機関であることが好ましい。送信回路２２が記憶する専門機関は病院であってもよいし、消防署であってもよい。送信回路２２が選定する送信先は、被検者の位置から最短距離の専門機関としてもよい。また複数箇所に同時に送信してもよい。
【０１００】
以上述べたように、本願発明の実施の形態の生体情報計測装置は脈拍、血流、加速度及び体位などの生体情報から判断したアラーム情報、被検者を特定する情報及び被検者の位置情報を、被検者の位置情報を元に適切な送信先を選定して通信ネットワークを介して送信する。すなわち、常時装着可能な生体情報計測装置を用いて任意の時間に自動で血圧及び又は脈拍等の生態情報を測定し、該生体情報計測装置に備わる血圧計等で測定された結果を該生体情報計測装置から被検者の位置情報とともに適切な専門機関へ送信することができる。これによって、血圧又は脈拍等の生体情報が異常な値になったときに、専門機関は被検者の救助を迅速に行うことができる。したがって、被検者の健康を遠隔地から管理し、かつ被検者に健康上の異常事態が発生したときに迅速で適切な処置をすることが可能になる。
【０１０１】
また、図８に示した生体情報計測装置８５において、位置検出回路２５はＧＰＳを利用して位置を検出してもよい。
【０１０２】
ＧＰＳを利用して位置を検出することにより、当該生体情報計測装置はＧＰＳから検出した位置情報を送信することができる。これにより、被検者はＧＰＳの利用できる場所であればどこからでも、前記血圧又は前記アラーム情報、前記被検者を特定する情報と共に、被検者の位置情報を医療機関などの専門機関へ通知することができる。これによって、血圧又は脈拍等の生体情報が異常な値になったときに、専門機関は被検者の救助を迅速に行うことができる。したがって、被検者の健康を遠隔地から管理し、かつ被検者に健康上の異常事態が発生したときに迅速で適切な処置をすることが可能になる。
【０１０３】
（実施の形態６）
本願発明の実施形態の健康管理システムについて図９を用いて説明する。図９は健康管理システム９１の構成を説明する図である。
【０１０４】
図９において、２１は血圧計であり、２２は送信回路である。生体情報計測装置８１は、血圧計２１及び送信回路２２により構成される。１６は通信ネットワークであり、４１は生体情報受信回路であり、４２は生体情報記録回路である。生体情報収集装置７１は、生体情報受信回路４１及び生体情報記録回路４２により構成される。
【０１０５】
生体情報計測装置は、前述の実施の形態１において説明した図１に示す生体情報計測装置と同様の機能を有する。通信ネットワーク１６は、前述の実施の形態１において説明した図４に示す通信ネットワーク１６と同様に配置され、かつ同様の機能を有する。
【０１０６】
生体情報受信回路４１の出力端子は生体情報記録回路４２の入力端子に接続される。生体情報受信回路４１は、生体情報計測装置８１が送信した血圧及び被検者を特定する情報を、通信ネットワーク１６を介して受信する。生体情報記録回路４２は、生体情報受信回路４１で受信した血圧等の情報を記録する。
【０１０７】
以上述べたように、本願発明の実施の形態の健康管理システムは血圧を任意の時間に測定して、その測定値及び被検者を特定する情報を医療機関に記録し、出力できるので、本発明によれば、被検者の健康状態を常時観察し、長期的なデータに基づく健康管理が可能となる。
【０１０８】
本願発明の実施の形態の健康管理システムの動作を説明する。生体情報計測装置８１は、前述の実施の形態１において説明した生体情報計測装置８１と同様の動作により、血圧及び被検者を特定する情報を通信ネットワーク１６を介して送信する。生体情報受信回路４１は、通信ネットワーク１６を介して血圧及び被検者を特定する情報を受信し、生体情報記録回路４２へ出力する。
【０１０９】
ここで、生体情報収集装置７１は、例えば前述の実施の形態１において説明した、医療機関１７などの専門機関に設置される。図４の例では、生体情報計測装置からの情報を受信する場所は医療機関としたが、健康管理センターなどどこに設置してもよい。専門機関でない自宅に設置しても良い。さらに生体情報収集装置を複数箇所に設置してもよい。専門機関及び自宅の両方に送信すれば、被検者自身でも健康管理ができるようになる。
【０１１０】
以上述べたように、常時装着可能な生体情報計測装置を用いて任意の時間に自動で血圧を測定し、該生体情報計測装置に備わる血圧計で測定された情報を該生体情報計測装置から生体情報収集装置に送信することができる。これによって、該生体情報収集装置の配備されている医療機関などの専門機関から被検者の血圧を常時監視及び管理することができる。したがって、被検者の健康を遠隔地から管理し、かつ被検者に健康上の異常事態が発生したときに長期的な記録に基づいて迅速で適切な処置をすることが可能になる。
【０１１１】
（実施の形態７）
本願発明の他の実施形態の健康管理システムについて図１０を用いて説明する。図１０は健康管理システム９２の構成を説明する図である。
【０１１２】
図１０において、２１は血圧計であり、２３はアラーム回路であり、２２は送信回路である。生体情報計測装置８２は、血圧計２１、アラーム回路２３及び送信回路２２により構成される。１６は通信ネットワークであり、４１は生体情報受信回路であり、６２はアラーム情報出力回路であり、６３は検索回路である。生体情報収集装置７２は、生体情報受信回路４１、検索回路６３及びアラーム情報出力回路６２により構成される。
【０１１３】
生体情報計測装置８２は、前述の実施の形態２において説明した図５に示す生体情報計測装置８２と同様の機能を有する。通信ネットワーク１６は、前述の実施の形態１において説明した図４に示す通信ネットワーク１６と同様に配置され、かつ同様の機能を有する。
【０１１４】
生体情報受信回路４１の出力端子は２つあり、１つの出力端子はアラーム情報出力回路６２の入力端子に接続され、１つの出力端子は検索回路６３の入力端子に接続される。生体情報受信回路４１は、生体情報計測装置８２が送信したアラーム情報及び被検者を特定する情報を、通信ネットワーク１６を介して受信する。検索回路６３は、生体情報受信回路４１で受信された被検者を特定する情報から検索回路６３内に記録されている被検者の個人データを検索して出力する。アラーム情報出力回路６２は、生体情報受信回路４１で受信されたアラーム情報及び被検者を特定する情報を出力する。
【０１１５】
本願発明の実施の形態の健康管理システムの動作を説明する。生体情報計測装置８２は、前述の実施の形態２において説明した生体情報計測装置８２と同様の動作により、アラーム情報及び被検者を特定する情報を、通信ネットワーク１６を介して送信する。生体情報受信回路４１は、通信ネットワーク１６を介してアラーム情報と被検者を特定する情報を受信し、検索回路６３及びアラーム情報出力回路６２へ出力する。検索回路６３はこのアラーム情報と被検者を特定する情報を受信し、生体情報受信回路４１の受信した被検者を特定する情報から検索回路６３に記録されている被検者の個人データを検索して出力する。アラーム情報出力回路６２は、生体情報受信回路４１で受信されたアラーム情報及び被検者を特定する情報を出力する。
【０１１６】
ここで、生体情報収集装置７２は、例えば前述の実施の形態１において説明した、医療機関１７などの専門機関に設置される。図４の例では、生体情報計測装置からの情報を受信する場所は医療機関としたが、健康管理センターなどどこに設置してもよい。専門機関でない自宅に設置しても良い。さらに生体情報収集装置を複数箇所に設置してもよい。専門機関及び自宅の両方に送信すれば、被検者自身でも健康管理ができるようになる。
【０１１７】
以上述べたように、本願発明の実施の形態の健康管理システムは、常時装着可能な血圧計を用いて自動で血圧を随時測定し、当該生体情報計測装置が測定した値が異常な値になったときに、迅速に該被検者に関するアラーム情報及び被検者を特定する情報を生体情報収集装置に送信できる。したがって、被検者の健康を遠隔地から管理し、かつ被検者に健康上の異常事態が発生したときに長期的な記録に基づいて迅速で適切な処置をすることが可能になる。
【０１１８】
（実施の形態８）
本願発明の他の実施形態の健康管理システムについて図１１を用いて説明する。図１１は健康管理システム９３の構成を説明する図である。健康管理システム９３は、生体情報計測装置８３及び生体情報収集装置７３によって構成される。
【０１１９】
図１１において、２１は血圧計であり、２４は生体情報測定計であり、２２は送信回路である。生体情報計測装置８３は、血圧計２１、生体情報測定計２４及び送信回路２２により構成される。１６は通信ネットワークであり、４１は生体情報受信回路であり、４２は生体情報記録回路である。生体情報収集装置７３は、生体情報受信回路４１及び生体情報記録回路４２により構成される。
【０１２０】
生体情報計測装置８３は、前述の実施の形態３において説明した図６に示す生体情報計測装置８３と同様の機能を有する。通信ネットワーク１６は、前述の実施の形態１において説明した図４に示す通信ネットワーク１６と同様に配置され、かつ同様の機能を有する。
【０１２１】
生体情報受信回路４１の出力端子は生体情報記録回路４２の入力端子に接続される。生体情報受信回路４１は、生体情報計測装置８３が送信した血圧、脈拍等の生体情報及び被検者を特定する情報を、通信ネットワーク１６を介して受信する。生体情報記録回路４２は、生体情報受信回路４１で受信した血圧及び脈拍等の生体情報を記録する。
【０１２２】
本願発明の実施の形態の健康管理システムの動作を説明する。生体情報計測装置８３は、前述の実施の形態３において説明した生体情報計測装置８３と同様の動作により、血圧、脈拍等の生体情報及び被検者を特定する情報を、通信ネットワーク１６を介して送信する。生体情報受信回路４１は、通信ネットワーク１６を介して生体情報計測装置８３から送信された血圧、脈拍等の生体情報及び被検者を特定する情報を受信し、生体情報記録回路４２へ出力する。
【０１２３】
ここで、生体情報収集装置７３は、例えば前述の実施の形態１において説明した、医療機関１７などの専門機関に設置される。図４の例では、生体情報計測装置からの情報を受信する場所は医療機関としたが、健康管理センターなどどこに設置してもよい。専門機関でない自宅に設置しても良い。さらに生体情報収集装置を複数箇所に設置してもよい。専門機関及び自宅の両方に送信すれば、被検者自身でも健康管理ができるようになる。
【０１２４】
以上述べたように、本願発明の実施の形態の健康管理システムは、常時装着可能な生体情報計測装置を用いて任意の時間に自動で血圧及び脈拍等の生態情報を測定し、該生体情報計測装置に備わる血圧計及び生体情報測定計で測定された情報を該生体情報計測装置から生体情報収集装置に送信することができる。これによって、該生体情報収集装置を配備する医療機関などの専門機関から被検者の血圧及び脈拍等の生体情報を常時監視及び管理することができる。したがって、被検者の健康を遠隔地から管理し、かつ被検者に健康上の異常事態が発生したときに長期的な記録に基づいて迅速で適切な処置をすることが可能になる。
【０１２５】
（実施の形態９）
本願発明の他の実施形態の健康管理システムについて図１２を用いて説明する。図１２は健康管理システム９４の構成を説明する図である。健康管理システム９４は、生体情報計測装置８４と、生体情報収集装置７４と、を備える。
【０１２６】
図１２において、２１は血圧計であり、２３はアラーム回路であり、２４は生体情報測定計であり、２２は送信回路である。生体情報計測装置８４は、血圧計２１、アラーム回路２３、生体情報測定計２４及び送信回路２２により構成される。１６は通信ネットワークであり、４１は生体情報受信回路であり、６２はアラーム情報出力回路であり、６３は検索回路である。生体情報収集装置７４は、生体情報受信回路４１、検索回路６３及びアラーム情報出力回路６２により構成される。
【０１２７】
生体情報計測装置８４は、前述の実施の形態４において説明した図７に示す生体情報計測装置８４と同様の機能を有する。通信ネットワーク１６は、前述の実施の形態１において説明した図４に示す通信ネットワーク１６と同様に配置され、かつ同様の機能を有する。
【０１２８】
生体情報受信回路４１の出力端子は２つあり、１つの出力端子はアラーム情報出力回路６３の入力端子に接続され、１つの出力端子は検索回路６３の入力端子に接続される。生体情報受信回路４１は、生体情報計測装置８４が送信したアラーム情報及び被検者を特定する情報を、通信ネットワーク１６を介して受信する。検索回路６３は、生体情報受信回路４１で受信された被検者を特定する情報から検索回路６３内に記録されている被検者の個人データを検索して出力する。アラーム情報出力回路６２は、生体情報受信回路４１で受信されたアラーム情報及び被検者を特定する情報を出力する。
【０１２９】
本願発明の実施の形態の健康管理システムの動作を説明する。生体情報計測装置８４は、前述の実施の形態２において説明した生体情報計測装置８２と同様の動作により、アラーム情報及び被検者を特定する情報を、通信ネットワーク１６を介して送信する。生体情報受信回路４１は、通信ネットワーク１６を介してアラーム情報と被検者を特定する情報を受信し、検索回路６３及びアラーム情報出力回路６２へ出力する。検索回路６３はこのアラーム情報と被検者を特定する情報を受信し、被検者を特定する情報から検索回路６３内に記録されている被検者の個人データを検索して出力する。アラーム情報出力回路６２は、生体情報受信回路４１で受信されたアラーム情報及び被検者を特定する情報を出力する。
【０１３０】
ここで、生体情報収集装置７４は、例えば前述の実施の形態１において説明した、医療機関１７などの専門機関に設置される。図４の例では、生体情報計測装置からの情報を受信する場所は医療機関としたが、健康管理センターなどどこに設置してもよい。専門機関でない自宅に設置しても良い。さらに生体情報収集装置を複数箇所に設置してもよい。専門機関及び自宅の両方に送信すれば、被検者自身でも健康管理ができるようになる。
【０１３１】
以上述べたように、本願発明の実施の形態の健康管理システムは、常時装着可能な生体情報計測装置を用いて任意の時間に自動で血圧及び脈拍等の生態情報を測定し、該生体情報計測装置に備わる血圧計及び生体情報測定計で測定されたアラーム情報を該生体情報計測装置から生体情報収集装置へ送信することができる。これによって、血圧又は脈拍等の生体情報が異常な値になったときに、該生体情報収集装置の配備されている専門機関へ被検者の異常を迅速に通知することができる。さらに、アラーム情報を受信した生体情報収集装置を配備する専門機関は異常の発生した被検者に関する個人データを自動で入手することができる。したがって、被検者の健康を遠隔地から管理し、かつ被検者に健康上の異常事態が発生したときに長期的な記録に基づいて迅速で適切な処置をすることが可能になる。
【０１３２】
（実施の形態１０）
本願発明の他の実施形態の健康管理システムについて図１３を用いて説明する。図１３は健康管理システム９５の構成を説明する図である。健康管理システム９５は、生体情報計測装置８５と、生体情報収集装置７５と、を備える。本実施形態の健康管理システムは、実施の形態６、実施の形態７、実施の形態８又は実施の形態９のいずれの場合も同様の回路と機能を追加することができるが、本実施例では実施の形態９の場合について以下に説明する。
【０１３３】
図１３において、２１は血圧計であり、２３はアラーム回路であり、２４は生体情報測定計であり、２５は位置検出回路であり、２２は送信回路である。生体情報計測装置８５は、血圧計２１、アラーム回路２３、生体情報測定計２４、位置検出回路２５及び送信回路２２により構成される。１６は通信ネットワークであり、４１は生体情報受信回路であり、６２はアラーム情報出力回路であり、６５は位置情報出力回路であり、６３は検索回路である。生体情報収集装置７５は、生体情報受信回路４１、検索回路６３、位置情報出力回路６５及びアラーム情報出力回路６２により構成される。
【０１３４】
生体情報計測装置８５は、実施の形態９で説明した生体情報計測装置８４に位置検出回路２５が追加された構成となっている。また生体情報収集装置７５は、実施の形態９で説明した生体情報収集装置７４に位置情報出力回路６５が追加された構成となっている。
【０１３５】
位置検出回路２５は、例えばジャイロスコープあるいはＰＨＳを応用した位置検出機能を備えており、被検者の位置を測定して、被検者の位置情報を送信回路２２へ出力する。位置情報出力回路６５は、生体情報受信回路４１からの位置情報を出力する。以上述べた以外の健康管理システム９５に備わる機能は、前述の実施の形態９において説明した図１２に示すものと同様である。
【０１３６】
本願発明の健康管理システム９５の動作を説明する。本願発明の健康管理システム９５を構成する生体情報計測装置８５は、前述の実施の形態９において説明した生体情報計測装置８４と同様の動作に加えて、被検者の位置情報を通信ネットワーク１６を介して送信する。生体情報収集装置７５は、前述の実施の形態９において説明した生体情報収集装置７４の動作に加えて、生体情報受信回路４１が送信されてくる被検者の位置情報を受信し、位置情報出力回路６５へ出力する。
【０１３７】
ここで、生体情報収集装置７５は、例えば前述の実施の形態１において説明した、医療機関１７などの専門機関に設置される。図４の例では、生体情報計測装置からの情報を受信する場所は医療機関としたが、健康管理センターなどどこに設置してもよい。専門機関でない自宅に設置しても良い。さらに生体情報収集装置を複数箇所に設置してもよい。専門機関及び自宅の両方に送信すれば、被検者自身でも健康管理ができるようになる。
【０１３８】
以上述べたように、本願発明の実施の形態の生体情報計測装置は、常時装着可能な生体情報計測装置を用いて任意の時間に自動で血圧及び又は脈拍等の生態情報を測定し、該生体情報計測装置に備わる血圧計等で測定された結果を該生体情報計測装置から生体情報収集装置に被検者の位置情報とともに送信することができる。これによって、血圧又は脈拍等の生体情報が異常な値になったときに、専門機関は被検者の救助を迅速に行うことができる。したがって、被検者の健康を遠隔地から管理し、かつ被検者に健康上の異常事態が発生したときに長期的な記録に基づいて迅速で適切な処置をすることが可能になる。
【０１３９】
また、図１３に示した健康管理システム９５において、送信回路２２は、位置検出回路２５が検出した位置情報を基に送信先を選定し、血圧又はアラーム情報、被検者を特定する情報及び該位置情報を通信ネットワークを介して送信してもよい。
【０１４０】
例えば、図１３に示した生体情報計測装置８５において、送信回路２２は予め複数の送信先の位置情報を記憶し、位置検出回路２５が検出した位置情報を基に被検者の位置から最短距離の送信先を選定し、血圧又はアラーム情報、かつ被検者を特定する情報及び該位置情報を通信ネットワークを介して選定した送信先に送信してもよい。
【０１４１】
送信回路２２は予め複数の送信先として医療機関などの専門機関の位置情報を記憶し、送信回路２２が血圧又はアラーム情報、被検者を特定する情報及び位置情報を通信ネットワークを介して送信する際に、被検者の該位置情報を基に送信回路２２に記憶されている医療機関などの専門機関から選定して送信する。送信回路２２が記憶する専門機関は被検者の疾病の救急医療機関であることが好ましい。送信回路２２が記憶する専門機関は病院であってもよいし、消防署であってもよい。送信回路２２が選定する送信先は、被検者の位置から最短距離の専門機関としてもよい。また複数箇所に同時に送信してもよい。
【０１４２】
以上述べたように、本願発明の実施の形態の生体情報計測装置は脈拍、血流、加速度及び体位などの生体情報から判断したアラーム情報、被検者を特定する情報及び被検者の位置情報を、被検者の位置情報を元に適切な送信先を選定して通信ネットワーク介して送信する。すなわち、常時装着可能な生体情報計測装置を用いて任意の時間に自動で血圧及び又は脈拍等の生態情報を測定し、該生体情報計測装置に備わる血圧計等で測定された結果を該生体情報計測装置から生体情報収集装置へ送信することができる。これによって、血圧又は脈拍等の生体情報が異常な値になったときに、該生体情報収集装置の配備されている専門機関は被検者の救助を迅速に行うことができる。したがって、被検者の健康を遠隔地から管理し、かつ被検者に健康上の異常事態が発生したときに迅速で適切な処置をすることが可能になる。
【０１４３】
また、図１３に示した健康管理システム９５において、位置検出回路２５はＧＰＳを利用して位置を検出してもよい。
【０１４４】
ＧＰＳを利用して位置を検出することにより、被検者はＧＰＳの利用できる場所であればどこからでも、前記血圧及び又は前記生体情報、前記被検者を特定する情報と共に、被検者の位置情報を医療機関などの専門機関へ通知することができる。したがって、被検者の健康を遠隔地から管理し、かつ被検者に健康上の異常事態が発生したときに迅速で適切な処置をすることが可能になる。
【産業上の利用可能性】
【０１４５】
本願発明の生体情報計測装置及び健康管理システムは、常時血圧等の生体情報が被検者の動作を妨げることなく測定できることから、病院内の被検者の容態の監視或いはスポーツ選手の肉体管理及び運動能力の向上にも使用することができる。
【図面の簡単な説明】
【０１４６】
【図１】本願発明の生体情報計測装置の構成及び実施形態を説明する図である。
【図２】本願発明の生体情報測定装置に備わる血圧計の構成及び測定原理を説明する図である。
【図３】本願発明の生体情報測定装置に備わる血圧計の測定原理を説明する図である。
【図４】本願発明の生体情報計測装置と通信ネットワークなどの総合的な構成を示す図である。
【図５】本願発明の生体情報計測装置の構成を示す図である。
【図６】本願発明の生体情報計測装置の構成を示す図である。
【図７】本願発明の生体情報計測装置の構成を示す図である。
【図８】本願発明の生体情報計測装置の構成を示す図である。
【図９】本願発明の健康管理システムの構成を示す図である。
【図１０】本願発明の健康管理システムの構成を示す図である。
【図１１】本願発明の健康管理システムの構成を示す図である。
【図１２】本願発明の健康管理システムの構成を示す図である。
【図１３】本願発明の健康管理システムの構成を示す図である。
【符号の説明】
【０１４７】
１  耳介
２  血管
３  カフ
４  発光素子
５  駆動回路
６  照射光
７  受光素子
８  受光回路
９  反射光
１０  制御回路
１１  出力端子
１６  通信ネットワーク
１７  医療機関
２１  血圧計
２２  送信回路
２３  アラーム回路
２４  生体情報測定計
２５  位置検出回路
４１  生体情報受信回路
４２  生体情報記録回路
５０  血圧波形
５１  最高血圧
５２  平均血圧
５３  最低血圧
５４  カフの圧力
５５  脈動信号波形
５６  Ｓ1点
５７  Ｓ2点
５８  Ｓ3点
６２  アラーム情報出力回路
６３  検索回路
６５  位置情報出力回路
７１〜７５  生体情報収集装置
８１〜８５  生体情報計測装置
９１〜９５  健康管理システム
【図１】
2005211172.tif 000003
【図２】
2005211172.tif 000004
【図３】
2005211172.tif 000005
【図４】
2005211172.tif 000006
【図５】
2005211172.tif 000007
【図６】
2005211172.tif 000008
【図７】
2005211172.tif 000009
【図８】
2005211172.tif 000010
【図９】
2005211172.tif 000011
【図１０】
2005211172.tif 000012
【図１１】
2005211172.tif 000013
【図１２】
2005211172.tif 000014
【図１３】
2005211172.tif 000015